(57)【要約】【課題】複数種の商品を載せて効果的に陳列できる陳列台を提供する。【解決手段】円筒状の外枠体１と、その内部に挿入される載置台２とを備え、この載置台２を一対の半台材９から構成し、各半台材９の中支持板１０同士を貼り合わせ、その上縁及び下縁から延びる半円状の上板１１及び下板１２を相反する方向へ折り曲げ、上板１１及び下板１２の端縁に連設した貼着片１３を外枠体１の内周面に貼り付け、上板１１及び下板１２の外周を外枠体１に内接させるようにした陳列台において、前記外枠体１の上部に弧状の罫線６を介して装飾片７を連設し、この装飾片７を外側へ折り曲げ、載置台２の上板１１に円板状の敷板３を載せて、その外周を外枠体１に内接させ、敷板３の上に十字状に組み合わせた仕切壁４を設置し、仕切壁４の下端の係止突起１７を、載置台２の上板１１及び敷板３に設けた係止穴１５に差し込む。【選択図】図１
2006129932.tif 000002
【特許請求の範囲】
【請求項１】
円筒状の外枠体と、その内部に挿入される載置台とを備え、この載置台を一対の半台材から構成し、各半台材の中支持板同士を貼り合わせ、その上縁及び下縁から延びる半円状の上板及び下板を相反する方向へ折り曲げ、上板及び下板の端縁に連設した貼着片を外枠体の内周面に貼り付け、上板及び下板の外周を外枠体に内接させるようにした陳列台において、前記載置台の上方に仕切壁を設置し、仕切壁の下端の係止突起を、載置台の上板に設けた係止穴に差し込んだことを特徴とする陳列台。
【請求項２】
前記係止穴を、一対の半台材の境界部に跨って、各半台材の上板から中支持板へ切り込むように形成したことを特徴とする請求項１に記載の陳列台。
【発明の詳細な説明】
【技術分野】
【０００１】
この発明は、例えば、店頭において、販売促進等のため商品を載せて陳列する陳列台に関するものである。
【背景技術】
【０００２】
従来、店頭での商品陳列用として、図５に示すような陳列台が提案されている（下記特許文献１参照）。この陳列台は、透明プラスチックを材料とする円筒状の外枠体５１の内部に、商品を載せる載置台５２を挿入したものであり、載置台５２は、段ボールを材料とする一対の半台材５３から構成されている。
【０００３】
載置台５２の組み立てに際しては、各半台材５３の中支持板５４同士を貼り合わせ、その上縁及び下縁から延びる半円状の上板５５及び下板５６を相反する方向へ折り曲げ、上板５５及び下板５６の端縁に連設した貼着片５７を外枠体５１の内周面に貼り付け、上板５５及び下板５６の外周を外枠体５１に内接させる。
【０００４】
そして、載置台５２の上板５５に形成した差込穴５８に、ポール５９の下部を差し込んで、ポール５９を起立状態に保持し、ポール５９の上端に取り付けた広告板６０のデザインと、外枠体５１を介して見える中支持板５４に施したデザインにより、陳列効果を得るようにしている。
【０００５】
【特許文献１】実公平４−２５０１３号公報（第１図、第２図）
【発明の開示】
【発明が解決しようとする課題】
【０００６】
しかしながら、上記のような陳列台では、外枠体５１の直径を大きくして載置台５２の背を低くすると、中支持板５４が外部から見えにくくなり、陳列効果が低下するほか、載置台５２の上板５５が撓みやすくなり、複数種の商品を種類ごとに区画して陳列するような用途には対応できないという問題がある。
【０００７】
そこで、この発明は、複数種の商品を載せて効果的に陳列できる陳列台を提供しようとするものである。
【課題を解決するための手段】
【０００８】
上記課題を解決するため、この発明は、円筒状の外枠体と、その内部に挿入される載置台とを備え、この載置台を一対の半台材から構成し、各半台材の中支持板同士を貼り合わせ、その上縁及び下縁から延びる半円状の上板及び下板を相反する方向へ折り曲げ、上板及び下板の端縁に連設した貼着片を外枠体の内周面に貼り付け、上板及び下板の外周を外枠体に内接させるようにした陳列台において、前記載置台の上方に仕切壁を設置し、仕切壁の下端の係止突起を、載置台の上板に設けた係止穴に差し込んだのである。
【０００９】
また、前記係止穴を、一対の半台材の境界部に跨って、各半台材の上板から中支持板へ切り込むように形成したのである。
【発明の効果】
【００１０】
この陳列台では、載置台の上方が仕切壁で区画されるので、複数種の商品を種類ごとに区分して陳列することができ、外枠体の直径を大きくして載置台の背を低くしても、優れた陳列効果が得られる。また、仕切壁が載置台に係合して、安定した状態で設置される。
【発明を実施するための最良の形態】
【００１１】
以下、この発明の実施形態を添付図面に基づいて説明する。
【００１２】
図１及び図２に示すように、この陳列台は、円筒状の外枠体１と、その内部に挿入して固着される載置台２と、載置台２の上面に載せられる円板状の敷板３と、十字状に組み合わせて敷板３の上に設置される２枚の仕切壁４とから構成される。外枠体１は板紙を材料とし、載置台２、敷板３及び仕切壁４は段ボールを材料とするものである。
【００１３】
前記外枠体１は、一対の半枠材５を前部と後部で貼り合わせて構成され、前側が低く、後側が高くなっている。外枠体１の両側から後方上部には、弧状の罫線６を介して装飾片７が連設され、装飾片７には、商品の印象を高めるデザインが施され、その端縁は図柄に合わせて切断されている。外枠体１の両側には折畳用の罫線８が入れられている。
【００１４】
前記載置台２は、一対の半台材９から構成され、図３に示す半台材９のブランクから載置台２を形成するには、各半台材９の中支持板１０を互いに貼り合わせ、その上縁及び下縁から延びる半円状の上板１１及び下板１２を相反する方向へ折り曲げ、上板１１及び下板１２の端縁に連設した貼着片１３を外枠体１の内周面に貼り付ける。
【００１５】
この載置台２において、中支持板１０の下部には、下板１２を切り込んで、下方へ突出する脚片１４が設けられ、上板１１には、中支持板１０との境界両側部及びこれに直交する線に沿って係止穴１５が設けられている。また、敷板３にも、上板１１に対応して４個の係止穴１５が設けられている。
【００１６】
前記仕切壁４は、段ボール材を二つ折りにしたものとされ、その下縁または上縁中央部には係合切込１６が、下縁両側部には係止突起１７がそれぞれ設けられている。縦向きに使用される仕切壁４は、後方へかけて背が高くなり、その後端には、相反する方向へ折り曲げて外枠体１の内周面に沿わせる折曲片１８が設けられている。
【００１７】
上記のような陳列台は、敷板３及び仕切壁４を取り外した状態で、図４に示すように、外枠体１を両側の罫線８に沿って折り重ね、載置台２の上板１１及び下板１２を閉じるように倒すと、扁平に折り畳むことができるので、嵩張ることなく、効率的に小売店等へ輸送し、保管しておくことができる。
【００１８】
一方、店頭において、この陳列台を使用する際、図１及び図２に示すように、載置台２の上板１１及び下板１２を水平方向に広げて、その外周を円筒状となった外枠体１に内接させ、装飾片７を、罫線６に沿って外側へ折り曲げると、装飾片７は、反発で戻ることなく、折れ曲がった状態に保持される。
【００１９】
次に、敷板３を係止穴１５が一致するように上板１１に載せて、その外周を外枠体１に内接させ、その後、２枚の仕切壁４の係合切込１６同士を噛み合わせ、十字状となった仕切壁４を敷板３の上に設置し、その下端の係止突起１７を、敷板３及び上板１１の係止穴１５に差し込むと、組立が完了する。
【００２０】
このように組み立てた陳列台では、外枠体１の上部に連設した装飾片７が外側へ折れ曲がった状態に保持されるので、装飾片７が目立って、優れた陳列効果が得られ、一対の半台材９の上板１１に載せた敷板３により、載置台２が強化されると共に、敷板３の上面が仕切壁４で区画されるので、重量のある複数種の商品を種類ごとに区分して陳列することができる。また、仕切壁４の両端が外枠体１の内周面に当接して、外枠体１の上縁部の変形が防止されるので、長期間にわたって美観に優れた陳列が可能となる。
【図面の簡単な説明】
【００２１】
【図１】この発明の実施形態に係る陳列台の分解斜視図
【図２】同上の組立状態を示す斜視図
【図３】同上の半台材のブランクを示す図
【図４】同上の陳列台の折畳状態を示す斜視図
【図５】従来の陳列台の使用状態を示す斜視図
【符号の説明】
【００２２】
１  外枠体
２  載置台
３  敷板
４  仕切壁
５  半枠材
６  罫線
７  装飾片
８  罫線
９  半台材
１０  中支持板
１１  上板
１２  下板
１３  貼着片
１４  脚片
１５  係止穴
１６  係合切込
１７  係止突起
１８  折曲片
【図１】
2006129932.tif 000003
【図２】
2006129932.tif 000004
【図３】
2006129932.tif 000005
【図４】
2006129932.tif 000006
【図５】
2006129932.tif 000007